(57)【要約】【課題】撮像素子の熱をレンズユニットから放出させることができるレンズ交換式カメラを得る。【解決手段】冷却ファン８６の可動により生じたエアの流れは、本体開口部７４及びユニット開口部７８を通して、ＣＣＤ３２の後方に配置された回路基板３４へ吹き付けられる。回路基板３４にエアが吹き付けられると、エアは、回路基板３４と当りカメラ本体１４の内部に折り返される。これにより、本体開口部７４及びユニット開口部７８を通して、レンズユニット１２内部とカメラ本体１４内部にエアを対流させることができる。このように、エアを対流させることで、ＣＣＤ３２が発した熱がレンズユニット１２の内部に溜まることなく、レンズユニット１２からカメラ本体１４側へ放出される。【選択図】図１
2009025706.tif 000002
【特許請求の範囲】
【請求項１】
レンズと前記レンズによって結像される画像を電気信号に変える撮像素子を有するレンズユニットと、
前記レンズユニットが装着されるカメラ本体と、
前記レンズユニットに設けられるユニット開口部と、
前記ユニット開口部を開閉するユニット開閉部材と、
前記カメラ本体に設けられ、前記カメラ本体に前記レンズユニットが装着されると、前記ユニット開口部と対向する本体開口部と、
前記本体開口部を開閉する本体開閉部材と、
を備えることを特徴とするレンズ交換式カメラ。
【請求項２】
前記カメラ本体の内部には、エアの流れを発生させる冷却ファンが備えられることを特徴とした請求項１記載のレンズ交換式カメラ。
【請求項３】
前記レンズユニットの内部には、エアの流れを発生させる冷却ファンが備えられることを特徴とした請求項１記載のレンズ交換式カメラ。
【請求項４】
前記ユニット開口部には、前記ユニット開口部を開閉する第一開閉部材と、前記第一開閉部材を閉方向へ付勢する第一付勢部材と、が設けられ、前記第一開閉部材には、移動させることで前記第一開閉部材が前記ユニット開口部を開放するユニット係合部が設けられ、
前記カメラ本体には、前記レンズユニットを前記カメラ本体に装着させる装着動作を行うと、前記ユニット係合部と係合して前記ユニット係合部と前記レンズユニットを相対移動させ前記ユニット開口部を開放する被ユニット係合部が設けられ、
前記本体開口部には、前記本体開口部を開閉する第二開閉部材と、前記第二開閉部材を閉方向へ付勢する第二付勢部材と、が設けられ、前記第二開閉部材には、移動させることで前記第二開閉部材が前記本体開口部を開放する本体係合部が設けられ、
前記レンズユニットには、前記レンズユニットを前記カメラ本体に装着させる装着動作を行うと、前記本体係合部と係合して前記本体係合部を移動させ前記本体開口部を開放する被本体係合部が設けられることを特徴とする請求項１から３何れか１項に記載のレンズ交換式カメラ。
【請求項５】
前記レンズユニットには、複数個の前記ユニット開口部が設けられ、前記カメラ本体には、複数個の前記ユニット開口部に対向する位置に複数個の前記本体開口部が設けられることを特徴とする請求項１から４何れか１項に記載されたレンズ交換式カメラ。
【請求項６】
前記冷却ファンによって前記カメラ本体の内部を対流するエアの流路には、塵埃が付着する粘着部材が設けられることを特徴とする請求項２から５何れか１項に記載されたレンズ交換式カメラ。
【請求項７】
前記撮像素子の近傍に設けられた温度センサと、
前記温度センサの温度情報に基づいて前記冷却ファンを可動させる制御部と、
を備えられることを特徴とする請求項２から６何れか１項に記載されたレンズ交換式カメラ。
【発明の詳細な説明】
【技術分野】
【０００１】
本発明はレンズユニットに撮像素子が内蔵されたレンズ交換式カメラに関する。
【背景技術】
【０００２】
特許文献１には、レンズと撮像素子が組み込まれ、カメラ本体に着脱可能なレンズユニットが記載されている。
【０００３】
このレンズユニットの内部には、レンズユニットの内部にエアを対流させる冷却ファンが設けられている。この構成により、撮影時に撮像素子（例えばＣＣＤ）が発熱しても冷却ファンがレンズユニットの内部にエアを対流させることで、撮像素子の近傍に熱が滞留するのが防止される。このように撮像素子の熱を放出させることで出力画像が荒れるのを防止できるようになっている。
【特許文献１】特開２００６−２３４９９７号公報
【発明の開示】
【発明が解決しようとする課題】
【０００４】
しかしながら、この冷却ファンによって対流するエアは、狭いレンズユニットの内部だけを対流するため、レンズユニット周辺の雰囲気温度によっては、撮像素子の熱が十分に放出されず冷却効果を得られないことが考えられる。
【０００５】
本発明は、上記事実を考慮して、撮像素子の熱をレンズユニットから放出させることが課題である。
【課題を解決するための手段】
【０００６】
本発明の請求項１に係るレンズ交換式カメラは、レンズと前記レンズによって結像される画像を電気信号に変える撮像素子を有するレンズユニットと、前記レンズユニットが装着されるカメラ本体と、前記レンズユニットに設けられるユニット開口部と、前記ユニット開口部を開閉するユニット開閉部材と、前記カメラ本体に設けられ、前記カメラ本体に前記レンズユニットが装着されると、前記ユニット開口部と対向する本体開口部と、前記本体開口部を開閉する本体開閉部材と、を備えることを特徴とする。
【０００７】
上記構成によれば、カメラ本体に装着されるレンズユニットは、レンズと、レンズによって結像される画像を電気信号に変える撮像素子を備えている。
【０００８】
また、ユニット開閉部材を開けてユニット開口部を開放し、さらに、本体開閉部材を開けて本体開口部を開放した状態で、レンズユニットをカメラ本体に装着すると、ユニット開口部及び本体開口部を通してレンズユニットの内部とカメラ本体の内部が連通する。
【０００９】
このため、被写体の撮像する際に、レンズユニットの内部に設けられた撮像素子が発熱しても、レンズユニットの内部に熱を溜めることなく、ユニット開口部及び本体開口部を通してカメラ本体に熱を放出することができる。
【００１０】
本発明の請求項２に係るレンズ交換式カメラは、請求項１に記載において、前記カメラ本体の内部には、エアの流れを発生させる冷却ファンが備えられることを特徴とする。
【００１１】
上記構成によれば、カメラ本体の内部に設けられた冷却ファンが、ユニット開口部と本体開口部を通してエアをレンズユニットの内部とカメラ本体の内部に対流させる。このようにエアを対流させることで、撮像素子の熱を効率良く放出させることができる。
【００１２】
本発明の請求項３に係るレンズ交換式カメラは、請求項１に記載において、前記レンズユニットの内部には、エアの流れを発生させる冷却ファンが備えられることを特徴とする。
【００１３】
上記構成によれば、レンズユニットの内部に設けられた冷却ファンが、ユニット開口部と本体開口部を通してエアをレンズユニットの内部とカメラ本体の内部に対流させる。このようにエアを対流させることで、撮像素子の熱を効率良く放出させることができる。
【００１４】
本発明の請求項４に係るレンズ交換式カメラは、１から３何れか１項に記載において、前記ユニット開口部には、前記ユニット開口部を開閉する第一開閉部材と、前記第一開閉部材を閉方向へ付勢する第一付勢部材と、が設けられ、前記第一開閉部材には、移動させることで前記第一開閉部材が前記ユニット開口部を開放するユニット係合部が設けられ、前記カメラ本体には、前記レンズユニットを前記カメラ本体に装着させる装着動作を行うと、前記ユニット係合部と係合して前記ユニット係合部と前記レンズユニットを相対移動させ前記ユニット開口部を開放する被ユニット係合部が設けられ、前記本体開口部には、前記本体開口部を開閉する第二開閉部材と、前記第二開閉部材を閉方向へ付勢する第二付勢部材と、が設けられ、前記第二開閉部材には、移動させることで前記第二開閉部材が前記本体開口部を開放する本体係合部が設けられ、前記レンズユニットには、前記レンズユニットを前記カメラ本体に装着させる装着動作を行うと、前記本体係合部と係合して前記本体係合部を移動させ前記本体開口部を開放する被本体係合部が設けられることを特徴とする。
【００１５】
上記構成によれば、レンズユニットをカメラ本体に装着させる装着動作を行うと、カメラ本体に設けられた被ユニット係合部が第一開閉部材に設けられたユニット係合部と係合してユニット係合部とレンズユニットを相対移動させることで第一開閉部材がユニット開口部を開放し、さらに、レンズユニットに設けられた被本体係合部が第二開閉部材に設けられた本体係合部と係合して本体係合部を移動させることで第二開閉部材が本体開口部を開放する。
【００１６】
また、レンズユニットをカメラ本体から取り外す被装着動作を行うと、第一付勢部材の付勢力で第一開閉部材がユニット開口部を閉じ、さらに、第二付勢部材の付勢力で第二開閉部材が本体開口部を閉じる。
【００１７】
このように、レンズユニットをカメラ本体に装着させるだけで、ユニット開口部、及び本体開口部を開放することができる。さらに、レンズユニットをカメラ本体から取り外す被装着動作を行うだけで、ユニット開口部、及び本体開口部を閉じることができる。
【００１８】
本発明の請求項５に係るレンズ交換式カメラは、請求項１から４何れか１項に記載において、前記レンズユニットには、複数個の前記ユニット開口部が設けられ、前記カメラ本体には、複数個の前記ユニット開口部に対向する位置に複数個の前記本体開口部が設けられることを特徴とする。
【００１９】
上記構成によれば、レンズユニットには、複数個のユニット開口部が設けられ、カメラ本体には、複数個のユニット開口部に対向する位置に複数個の本体開口部が設けられている。このため、一つの開口でエアを出し入れする場合と比較すると、エアが流出する開口とエアが流入する開口を設けることができ、エアの流れをスムーズにすることができる。
【００２０】
本発明の請求項６に係るレンズ交換式カメラは、請求項２から５何れか１項に記載において、前記冷却ファンによって前記カメラ本体の内部を対流するエアの流路には、塵埃が付着する粘着部材が設けられることを特徴とする。
【００２１】
上記構成によれば、塵埃が付着する粘着部材が、冷却ファンによってカメラ本体の内部を対流するエアの流路に設けられている。このため、対流するエアによって浮遊する塵埃が粘着部材に付着し、撮像素子に塵埃が付着するのを防止することができる。
【００２２】
本発明の請求項７に係るレンズ交換式カメラは、請求項２から６何れか１項に記載において、前記撮像素子の近傍に設けられた温度センサと、前記温度センサの温度情報に基づいて前記冷却ファンを可動させる制御部と、を備えられることを特徴とする。
【００２３】
上記構成によれば、撮像素子の近傍に設けられた温度センサが、撮像素子近傍の温度を検知し、制御部が温度センサの温度情報に基づいて冷却ファンを可動させる。このように、必要な時にだけ冷却ファンを可動させることができ、電力を節約することができる。
【発明の効果】
【００２４】
本発明によれば、撮像素子の熱をレンズユニットから放出させることができる。
【発明を実施するための最良の形態】
【００２５】
本発明の第１実施形態に係るレンズ交換式カメラ１０の実施形態を図１〜図４に従って説明する。
【００２６】
図３に示されるように、このレンズ交換式カメラ１０（以下単に「カメラ」と称する）は、撮像素子一体型交換レンズユニット１２（以下単に「レンズユニット」と称する）とカメラ本体１４とで構成されている。
【００２７】
レンズユニット１２は、その内部に撮影レンズ等を配設してカメラ本体１４の表面から突出する円筒状に形成された鏡筒部１８と、鏡筒部１８の外形より小さい円筒状あって、カメラ本体１４へ嵌合する嵌合部２０を備えている。
【００２８】
さらに、レンズユニット１２がカメラ本体１４へ装着されると、鏡筒部１８と嵌合部２０の間に設けられたドーナッツ状のマウント当接部２４（図２（Ａ）参照）がカメラ本体１４の表面に当接するようになっている。また、このマウント当接部２４には、電気的な接続を行う接続端子２５が設けられている。
【００２９】
一方、カメラ本体１４の正面には、レンズユニット接続部１６が設けられている。このレンズユニット接続部１６は、カメラ本体１４の表面から凹状に設けられ、レンズユニット１２の嵌合部２０と螺合する嵌合部２２と、カメラ本体１４上の表面上に設けられレンズユニット１２のマウント当接部２４と当接するマウント当接部３２を備えている。さらに、マウント当接部３２には、レンズユニット１２の接続端子２５と電気的に接続される接続端子２７が設けられている。
【００３０】
さらに、レンズユニット接続部１６において凹状に設けられた嵌合部２２の底板７２には、底板７２が開口された本体開口部７４が設けられている。なお、本体開口部７４については詳細を後述する。
【００３１】
この構成により、レンズユニット１２に設けられた嵌合部２０をカメラ本体１４に設けられた嵌合部２２に螺合させることでレンズユニット１２は、カメラ本体１４に設けられたレンズユニット接続部１６に対して装着されるようになっている。また、レンズユニット１２がカメラ本体１４に保持されるとレンズユニット１２の接続端子２５とカメラ本体１４の接続端子２７が電気的に接続される。なお、図面では、嵌合部２０及び嵌合部２２に設けられる螺合用のネジ形状については省略する。
【００３２】
さらに、カメラ本体１４には、撮影の際に押圧操作されるレリーズボタン９６と、撮影モードを切替えるモード切替ボタン９８と、撮像時に周囲の光量不足を補うためのストロボ９４が設けられている。
【００３３】
一方、図１に示されるように、レンズユニット１２の鏡筒部１８には、レンズ群２６、ズームレンズ群２８、フォーカスレンズ群３０、撮像素子としてのＣＣＤ３２、及び回路基板３４等が組み込まれている。
【００３４】
レンズ群２６は、レンズ２６Ａ及びレンズ２６Ｂから構成され、鏡筒部１８の前部（図１で示す下側）のレンズ枠３６に保持されている。
【００３５】
レンズ群２６の後方（図１で示す上側）には、ズームレンズ群２８が配置され、ズームレンズ群２８は、ズームレンズ２８Ａ、ズームレンズ２８Ｂ、及びズームレンズ２８Ｃから構成されており、レンズ枠３８に保持されている。
【００３６】
レンズ枠３８の径方向外側には、円孔３８Ａが形成され、光軸に平行な円柱状のガイド棒３９が、円孔３８Ａに挿通されている。
【００３７】
さらに、レンズ枠３８の円孔３８Ａと対向する位置には、ボールナット４０が埋め込まれており、このボールナット４０には、ボールネジ４２が螺合している。
【００３８】
また、ボールネジ４２の前部には、ギア４４が固定されており、このギア４４にはギア４６が噛み合っている。このギア４６は、鏡筒部１８に固定されたズームレンズ駆動モータ４８の軸５０に固定されている。ズームレンズ駆動モータ４８が駆動して軸５０が回転すると、ボールネジ４２が回転し、ズームレンズ群２８が前後に移動する構成となっている。
【００３９】
さらに、ズームレンズ駆動モータ４８には、図示しないエンコーダが取り付けられている。そして、ズームレンズ駆動モータ４８は、エンコーダからの信号に基づいて後述するレンズユニット用ＣＰＵ１１０（図４参照）に駆動を制御されている。
【００４０】
また、ズームレンズ群２８の後方には、フォーカスレンズ群３０が配置され、フォーカスレンズ群３０は、フォーカスレンズ３０Ａ、及びフォーカスレンズ３０Ｂから構成されており、レンズ枠５２に保持されている。
【００４１】
フォーカスレンズ群３０を移動させる機構は、ズームレンズ群２８を移動させる機構と同様の構成であり、ボールナット５１、ボールネジ５４、ギア５６、ギア５８、フォーカスレンズ駆動モータ６０、軸６２等から構成されている。
【００４２】
さらに、フォーカスレンズ群３０の後方には、ＣＣＤ３２が配置されている。ＣＣＤ３２は、放熱性の高い材料で形成された保持板６４に固定されている。また、ＣＣＤ３２の周囲には、塵埃を吸着する吸着部材６６が設けられている。この吸着部材６６としては、静電気を用いて塵埃を吸着するものや、粘着シートなどが挙げられる。また、ＣＣＤ３２の前方には、図示しないシャッタ機構や、絞り機構などが配置されている。
【００４３】
さらに、ＣＣＤ３２を保持する略円板状の仕切板７０が、鏡筒部１８に固定されており、仕切板７０の中央には、被写体光を導く開口が形成されている。この仕切板７０と、レンズユニット１２の底板７６（図２（Ａ）参照）とによって、レンズユニット１２の後部に部屋が形成されるようになっている。
【００４４】
図２（Ａ）に示されるように、この底板７６には、底板７６が開口されたユニット開口部７８が設けられている。なお、ユニット開口部７８については詳細を後述する。
【００４５】
また、図１に示されるように、ＣＣＤ３２の後方には、データ通信を行う回路などが実装された回路基板３４が配置されている。この回路基板３４は、仕切板７０に固定された保持板６８に保持されている。なお、回路基板３４を保持する保持板６８は放熱性の高い材料で形成することが好ましい。
【００４６】
一方、カメラ本体１４の内部には、デジタル信号処理回路１２４等（図４参照）が搭載された基板８０、画像が表示されるＬＣＤ表示部８２、各部に電力を供給する電源部８４、冷却ファン８６、及びストロボ制御部（図示省略）などが設けられている。なお、冷却ファン８６については詳細を後述する。
【００４７】
次に、カメラ１０の電気的構成について図４のブロック図に従って説明する。
【００４８】
図４に示されるように、レンズユニット１２（図１参照）に設けられた回路基板３４には、アナログ信号処理回路１０２、Ａ／Ｄ変換回路１０４、ＣＣＤ駆動回路１０６、データ通信回路１０８、レンズユニット用ＣＰＵ１１０などが実装されている。
【００４９】
また、ＣＣＤ３２の近傍には、ＣＣＤ３２の近傍の雰囲気温度を測定する温度センサ１１８が設けられており、温度センサ１１８の温度情報は、一定の周期でレンズユニット用ＣＰＵ１１０にて管理されるようになっている。
【００５０】
一方、ＣＣＤ３２は、ＣＣＤ駆動回路１０６に接続されており、ＣＣＤ駆動回路１０６を介してレンズユニット用ＣＰＵ１１０によって駆動を制御される。ＣＣＤ３２は、光学的な被写体画像を電気的な撮像信号に変換して出力する。ＣＣＤ３２から出力された撮像信号はアナログ信号処理回路１０２に入力される。アナログ信号処理回路１０２は、相関二重サンプリングを行うことによって信号からノイズを除去する機能や、信号を増幅する機能を備え、撮像信号に対してこれらの処理を施してから出力する。
【００５１】
アナログ信号処理回路１０２で適当なレベルに増幅された撮像信号は、Ａ／Ｄ変換回路１０４によってデジタル変換されて画像データとなる。この画像データは、データ通信回路１０８を介してカメラ本体１４側へと送信される。
【００５２】
レンズユニット用ＣＰＵ１１０は、データバス１１２等を介してレンズユニット１２の各部に接続されており、カメラ本体用ＣＰＵ１２０と交信しながら、レンズユニット１２側の撮影処理や画像処理等を管制する。
【００５３】
レンズユニット１２からの画像データは、データ通信回路１０８、接続端子２５及び接続端子２７を介して、カメラ本体１４のメモリ１２２に書き込まれる。デジタル信号処理回路１２４は、メモリ１２２から画像データを読み出し、階調変換、ホワイトバランス補正、γ補正等の処理を施す。各種処理が施された画像データは、ＬＣＤ表示部８２にスルー画として表示される。
【００５４】
拡大ズームボタン１２６及び縮小ズームボタン１２８からのズーム信号は、コントローラ１３０に入力さる。コントローラ１３０には、ズームカウンタ１３２及びＬＵＴ（ルックアップテーブルメモリ）１３４が接続されている。ズームカウンタ１３２は、拡大ズームボタン１２６が操作された場合には、その操作量に応じてカウンタ値をアップカウントし、縮小ズームボタン１２８が操作された場合には、同様にダウンカウントする。コントローラ１３０は、このカウンタ値に基づいて、ユーザーが所望するズーム量を特定する。
【００５５】
電子ズーム部１３６は、デジタル信号処理回路１２４から出力された画像に対して、コントローラ１３０で決定された電子ズーム倍率に応じて電子ズーム処理を行う。そして、画像処理及び電子ズーム処理が施された画像データは、圧縮伸張部１３８によって、例えば、ＪＰＥＧ（Ｊｏｉｎｔ Ｐｈｏｔｇｒａｐｈｉｃ Ｅｘｐｅｒｔｓ Ｇｒｏｕｐ）の圧縮形式で圧縮される。
【００５６】
ＪＰＥＧ圧縮された画像は、メディアコントローラ１４０によってメモリカード１４２に記録される。また、再生モードにおいては、メモリカード１４２から読み出された撮影画像に対して圧縮伸張部１３８が伸張処理を施した後、このデータがビデオメモリ１４４に書き込まれＬＣＤ表示部８２に再生表示される。
【００５７】
カメラ本体用ＣＰＵ１２０は、データバス１４６等を介してカメラ本体１４の各部に接続されており、レンズユニット１２と交信しながら、カメラ本体１４側の撮影処理、画像表示処理、記録処理等を管制する。
【００５８】
カメラ本体用ＣＰＵ１２０には、電源部８４、レリーズボタン９６、モード切替ボタン９８及び電源スイッチ１００が接続されており、さらに、電源部８４には、冷却ファン８６が接続されている。
【００５９】
また、前述したレンズユニット用ＣＰＵ１１０は、温度センサ１３０からの温度情報が所定の温度（例えば３０℃）に達した場合は、この温度情報をカメラ本体用ＣＰＵ１２０へ出力する。カメラ本体用ＣＰＵ１２０は、電源部８４を通して冷却ファン８６を可動させる。
【００６０】
次に、カメラ本体１４の本体開口部７４、レンズユニット１２のユニット開口部７８、及び冷却ファン８６について説明する。
【００６１】
図２（Ａ）に示されるように、レンズユニット１２の底板７６の中央部には、レンズユニット１２の内部を開放する長方形状のユニット開口部７８が設けられている。さらに、このユニット開口部７８には、ユニット開口部７８を開閉するシャッター部材８８が上下方向（図２（Ａ）に示す矢印Ａ方向）にスライド可能に取り付けられている。
【００６２】
また、シャッター部材８８には凹状の把持部８８Ａが設けられており、この把持部８８Ａを上方へ移動させることで、図２（Ｂ）に示されるように、ユニット開口部７８が開放されるようになっている。
【００６３】
なお、シャッター部材８８のスライド部には抵抗部材（例えば不織布）が設けられておりシャッター部材８８は、自重や振動で下方へ移動してユニット開口部７８を閉止しないようになっている。
【００６４】
一方、図２（Ａ）に示されるように、レンズユニット１２がカメラ本体１４へ装着された状態で、前述したユニット開口部７８と対向するカメラ本体１４の底板７２には、カメラ本体１４の内部を開放する長方形状の本体開口部７４が設けられている。さらに、この本体開口部７４には、ユニット開口部７８と同様に、本体開口部７４を開閉するシャッター部材９０が上下方向（図２（Ａ）に示す矢印Ａ方向）にスライド可能に取り付けられている。
【００６５】
また、シャッター部材９０には凹状の把持部９０Ａが設けられており、この把持部９０Ａを上方へ移動させることで、図２（Ｂ）に示されるように、本体開口部７４が開放されるようになっている。
【００６６】
なお、シャッター部材９０のスライド部には抵抗部材（例えば不織布）が設けられておりシャッター部材８８は、自重や振動で下方へ移動して本体開口部７４を閉止しないようになっている。
【００６７】
さらに、図１に示されるように、本体開口部７４の後方には、前述した冷却ファン８６が、本体開口部７４及びユニット開口部７８を通して、ＣＣＤ３２の後方に配置された回路基板３４へエアを吹き付けるように配置され、図示せぬブラケットに固定されている。
【００６８】
次に、上記のように構成されたカメラ１０の作用について説明する。
【００６９】
図２（Ａ）に示されるように、レンズユニット１２がカメラ本体１４から取り外された状態で、レンズユニット１２を保管する場合は、把持部８８Ａを操作してシャッター部材８８を閉じてユニット開口部７８を閉止させる。これにより、レンズユニット１２の内部に塵埃等が入るのを防止することができる。
【００７０】
同様に、レンズユニット１２がカメラ本体１４から取り外された状態で、カメラ本体１４を保管する場合は、把持部９０Ａを操作してシャッター部材９０を閉じて本体開口部７４を閉止させる。これにより、カメラ本体１４の内部に塵埃等が入るのを防止することができる。
【００７１】
一方、レンズユニット１２をカメラ本体１４へ装着し、被写体を撮影する場合は、図２（Ｂ）に示されるように、シャッター部材８８の把持部８８Ａを操作してシャッター部材８８を開けてユニット開口部７８を開放させる。さらに、シャッター部材９０の把持部９０Ａを操作してシャッター部材９０を開けて本体開口部７４を開放させる。
【００７２】
ユニット開口部７８、及び本体開口部７４が開放された状態で、レンズユニット１２に設けられた嵌合部２０をカメラ本体１４に設けられた嵌合部２２に螺合させることでレンズユニット１２をカメラ本体１４に装着する。
【００７３】
図１に示されるように、レンズユニット１２がカメラ本体１４に装着されると、ユニット開口部７８と本体開口部７４が対向し、カメラ本体１４の内部とレンズユニット１２の内部が貫通する。
【００７４】
一方、カメラ１０を使用して被写体を撮影する場合、撮影光は、レンズ群２６、ズームレンズ群２８、及びフォーカスレンズ群３０を通ってＣＣＤ３２に入射する。ＣＣＤ３２は、光学的な被写体画像を電気的な撮像信号に変換して出力するため、変換処理を行う際に熱を発する。ＣＣＤ３２が発熱すると、ＣＣＤ３２の近傍の雰囲気温度が上昇する。
【００７５】
図４に示されるように、温度センサ１１８がＣＣＤ３２の近傍の雰囲気温度を測定し、レンズユニット用ＣＰＵ１１０によって温度センサ１１８の温度情報が、一定の周期で管理される。
【００７６】
ＣＣＤ３２の近傍の雰囲気温度が所定の温度（例えば３０℃）に達した場合は、レンズユニット用ＣＰＵ１１０は、接続端子２５及び接続端子２７を通して、この温度情報をカメラ本体用ＣＰＵ１２０へ出力する。
【００７７】
温度情報を受取ったカメラ本体用ＣＰＵ１２０は、電源部８４を通して冷却ファン８６を可動させる。
【００７８】
図１に示されるように、冷却ファン８６の可動により生じたエアの流れは、本体開口部７４及びユニット開口部７８を通して、ＣＣＤ３２の後方に配置された回路基板３４へ吹き付けられる。
【００７９】
回路基板３４にエアが吹き付けられると、エアは、回路基板３４と当りカメラ本体１４の内部に折り返される。これにより、本体開口部７４及びユニット開口部７８を通して、レンズユニット１２内部とカメラ本体１４内部にエアを対流させることができる。
【００８０】
このように、エアを対流させることで、ＣＣＤ３２が発した熱がレンズユニット１２の内部に溜まることなく、レンズユニット１２からカメラ本体１４側へ放出されるため、ＣＣＤ３２が冷却され、出力画像の品質を向上させることができる。
【００８１】
また、温度センサ１１８が、ＣＣＤ３２近傍の雰囲気温度を検知し、レンズユニット用ＣＰＵ１１０及びカメラ本体用ＣＰＵ１２０が温度センサ１１８の温度情報に基づいて冷却ファン８６を可動させるため、必要なときだけ冷却ファン８６を可動させるため、電力を節約することができる。
【００８２】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、撮像素子をＣＣＤとして説明したが、撮像素子をＣＭＯＳセンサとしてもよい。
【００８３】
また、上記実施形態では、温度センサ１１８の温度情報をレンズユニット用ＣＰＵ１１０が管理したが、カメラ本体ＣＰＵ１２０が直接管理してもよい。
【００８４】
次に本発明のカメラ１５０の第２実施形態を図５に従って説明する。
【００８５】
なお、第１実施形態と同一部材については、同一符号を付してその説明を省略する。
【００８６】
図５で示されるように、この実施形態では第１実施形態のように、カメラ本体１４の内部に冷却ファンは設けられておらず、これに替えて、フォーカスレンズ駆動モータ６０の軸６２に、羽根１５２が取り付けられており、フォーカスレンズ駆動モータ６０が駆動することで羽根１５２が回転してエアの流れが生じるようになっている。つまり、フォーカスレンズ駆動モータ６０と羽根１５２で冷却ファン１４８が構成されている。
【００８７】
さらに、ＣＣＤ３２を保持する仕切板７０の両側には、開口部７０Ａが設けられており、ＣＣＤ３２の後方側の空気とＣＣＤ３２の前方側の空気が行き来できるようになっている。
【００８８】
また、レンズユニット１２の底板７６には、２個のユニット開口部１５４が設けられ、このユニット開口部１５４と対向するように、カメラ本体１４の底板７２には、２個の本体開口部１５６が設けられている。
【００８９】
さらに、カメラ本体１４の内部には、エアをカメラ本体１４内部の壁面１４Ａに沿ってガイドするガイド部材１５８が設けられている。
【００９０】
さらに、カメラ本体１４の壁面１４Ａに沿って流れるエアの流路が屈曲する部位には、塵埃が付着する粘着部材１６０が設けられている。
【００９１】
次に、上記のように構成されたカメラ１５０の作用について説明する。
【００９２】
カメラ１５０を使用して被写体を撮影する場合、フォーカスを合わせるためにフォーカスレンズ駆動モータ６０を駆動させると、羽根１５２が回転しエアの流れが生じる。
【００９３】
このエアは、図５の矢印で示すように、一方の開口部７０Ａを通過し、さらに、一方のユニット開口部１５４、本体開口部１５６を通過してカメラ本体１４の内部へ入る。カメラ本体１４の内部に入ったエアは、ガイド部材１５８、電源部８４、及び基板８０に案内され、壁面１４Ａに沿って流れ、他方のユニット開口部１５４、本体開口部１５６を通過してレンズユニット１２の内部に入る。レンズユニット１２の内部に入ったエアは、他方の開口部７０Ａを通って、ＣＣＤ３２の前方側を通過して羽根１５２に達する。
【００９４】
このように、ユニット開口部１５４、及び本体開口部１５６を２個設けることで、一つの開口でエアを出し入れする場合と比較すると、エアを出す開口とエアを入れる開口を設けることができ、効率良くエアを対流させることができる。
【００９５】
また、エアの流路が屈曲する部位に、塵埃が付着する粘着部材１６０を設けることで、対流するエアによって浮遊する塵埃を粘着部材１６０に付着させることができ、これにより、ＣＣＤ３２に塵埃が付着するのを防止することができる。
【００９６】
また、エアの流れを生じさせるために、フォーカスレンズ駆動モータ６０を使用することで、専用のモータを設ける必要がない。
【００９７】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、２個のユニット開口部１５４、及び本体開口部１５６を設けたが、２個に限られず２個以上であってもよい。
【００９８】
次に本発明のカメラ１７０の第３実施形態を図６、図７に従って説明する。
【００９９】
なお、第１実施形態と同一部材については、同一符号を付してその説明を省略する。
【０１００】
図７で示されるように、この実施形態では第１実施形態のように、長方形状の開口部がレンズユニット１２の底板７６に設けられておらず、これに替えて、扇状のユニット開口部１７２が設けられている。さらに、カメラ本体１４に装着されたレンズユニット１２のユニット開口部１７２に対向するように、カメラ本体１４の底板７２には、扇状の本体開口部１７４が設けられている。
【０１０１】
ユニット開口部１７２には、ユニット開口部１７２を開閉する扇状のシャッター部材１７６が設けられ、図６（Ａ）に示されるように、このシャッター部材１７６は、底板７６の中心部に設けられた回転軸１７９に回転可能に軸支されている。
【０１０２】
さらに、シャッター部材１７６の端部には凸状の係合突起１７８が一体的に成形されており、この係合突起１７８がユニット開口部１７２の縁部に当接してユニット開口部１７２がシャッター部材１７６によって閉止されるようになっている。また、係合突起１７８をユニット開口部１７２の縁部に押し付けるコイル状のスプリング１８０が回転軸１７９に設けられている。
【０１０３】
詳細には、スプリング１８０の一端は、シャッター部材１７６の裏面に設けられた円柱状の突起部１８２に引掛けられており、スプリング１８０の他端は、底板７６に設けられた突起部（図示省略）に引掛けられている。
【０１０４】
この構成により、スプリング１８０の付勢力で、係合突起１７８がユニット開口部１７２の縁部に当接してシャッター部材１７６がユニット開口部１７２を閉じるようになっている。
【０１０５】
また、レンズユニット１２をカメラ本体１４に嵌め込み螺合させる前の状態で、シャッター部材１７６の係合突起１７８に重なるように、カメラ本体１４の底板７２から被係合部１８４が突出して設けられている。
【０１０６】
この構成により、図６（Ａ）に示されるように、レンズユニット１２をカメラ本体１４に嵌め込み螺合させると、シャッター部材１７６の係合突起１７８が、カメラ本体１４の被係合部１８４に押され、ユニット開口部１７２だけが回転し、図６（Ｂ）に示されるように、ユニット開口部１７２が開放されるようになっている。
【０１０７】
一方、図７に示されるように、本体開口部１７４には、本体開口部１７４を開閉する扇状のシャッター部材１９０が設けられ、図６（Ａ）に示されるように、このシャッター部材１９０は、底板７２の中心部に設けられた回転軸１９２に回転可能に軸支されている。
【０１０８】
さらに、シャッター部材１９０の端部には凸状の係合突起１９４が一体的に成形されており、この係合突起１９４が本体開口部１７４の縁部に当接して本体開口部１７４がシャッター部材１９０によって閉止されるようになっている。また、係合突起１９４を本体開口部１７４の縁部に押し付けるコイル状のスプリング１９６が回転軸１９２に設けられている。
【０１０９】
詳細には、スプリング１９６の一端は、シャッター部材１９０の裏面に設けられた円柱状の突起部１９８に引掛けられており、スプリング１９６の他端は、底板７２に設けられた突起部（図示省略）に引掛けられている。
【０１１０】
この構成により、スプリング１９６の付勢力で、係合突起１９４が本体開口部１７４の縁部に当接してシャッター部材１９０が本体開口部１７４を閉じるようになっている。
【０１１１】
また、レンズユニット１２をカメラ本体１４に嵌め込み螺合させる前の状態で、シャッター部材１９０の係合突起１９４に重なるように、レンズユニット１２の底板７６から被係合部２００が突出して設けられている。
【０１１２】
この構成により、図６（Ａ）に示されるように、レンズユニット１２をカメラ本体１４に嵌め込み螺合させると、シャッター部材１９０の係合突起１９４が、レンズユニット１２の被係合部２００に押され、シャッター部材１９０だけが回転し、図６（Ｂ）に示されるように、本体開口部１７４が開放されるようになっている。
【０１１３】
このように、レンズユニット１２をカメラ本体１４に装着させるだけで、ユニット開口部１７２、及び本体開口部１７４を開放することができる。さらに、レンズユニット１２をカメラ本体１４から取り外す被装着動作を行うだけで、ユニット開口部１７２、及び本体開口部１７４を閉じることができる。
【０１１４】
次に本発明のカメラの第４実施形態を図８に従って説明する。
【０１１５】
なお、第１実施形態と同一部材については、同一符号を付してその説明を省略する。
【０１１６】
図８で示されるように、冷却ファン及び電源部は、カメラ本体１４に設けられておらず、これに替えて、冷却ファン２２０及び電源部２２２は、レンズユニット１２に設けられている。
【０１１７】
詳細には、温度センサ１１８がＣＣＤ３２の近傍の雰囲気温度を測定し、レンズユニット用ＣＰＵ１１０によって温度センサ１１８の温度情報が、一定の周期で管理される。
【０１１８】
ＣＣＤ３２の近傍の雰囲気温度が所定の温度（例えば３０℃）に達した場合は、レンズユニット用ＣＰＵ１１０は、電源部２２２を通して冷却ファン２２０をＯＮ／ＯＦＦさせる。
【０１１９】
レンズユニット用ＣＰＵ１１０が冷却ファン２２０をＯＮ／ＯＦＦする信号については、例えば、レンズユニット用ＣＰＵ１１０に設けられているアナログ電圧出力ポートを使用することができる。
【０１２０】
また、電源部２２２の電圧値を変化させることで冷却ファン２２０の回転速度を変えることができるタイプの場合は、温度センサ１１８からの温度情報に基づいてレンズユニット用ＣＰＵ１１０のアナログ電圧値を可変に制御することで、冷却ファン２２０をＯＮ／ＯＦＦする制御だけではなく、冷却ファン２２０の回転数を制御することで放熱速度を制御することができる。
【０１２１】
次に本発明のカメラ１０の第５実施形態を図９に従って説明する。
【０１２２】
なお、第１実施形態と同一部材については、同一符号を付してその説明を省略する。
【０１２３】
図９で示されるように、  冷却ファンは、カメラ本体１４に設けられておらず、これに替えて、冷却ファン２３０は、レンズユニット１２に設けられている。
【０１２４】
詳細には、温度センサ１１８がＣＣＤ３２の近傍の雰囲気温度を測定し、レンズユニット用ＣＰＵ１１０によって温度センサ１１８の温度情報が、一定の周期で管理される。
【０１２５】
ＣＣＤ３２の近傍の雰囲気温度が所定の温度（例えば３０℃）に達した場合は、レンズユニット用ＣＰＵ１１０は、接続端子２５及び接続端子２７を通して、この温度情報をカメラ本体用ＣＰＵ１２０へ出力する。
【０１２６】
温度情報を受取ったカメラ本体用ＣＰＵ１２０は、電源部２３２及び接続端子２５、２７を通して冷却ファン２３０を可動させる。
【０１２７】
このように、電源部２３２をカメラ本体１４に配置することで、レンズユニット１２内のスペースを確保することができ、さらに、レンズユニット１２内の温度上昇を極力低減することができる。
【図面の簡単な説明】
【０１２８】
【図１】本発明の第１実施形態に係るカメラの内部を示した断面図である。
【図２】（Ａ）（Ｂ）本発明の第１実施形態に係るカメラのレンズユニットとカメラ本体を示した斜視図である。
【図３】本発明の第１実施形態に係るカメラのレンズユニットとカメラ本体を示した斜視図である。
【図４】本発明の第１実施形態に係るカメラのカメラ本体及びレンズユニットの電気的構成を示す機能ブロック図である。
【図５】本発明の第２実施形態に係るカメラの内部を示した断面図である。
【図６】（Ａ）（Ｂ）本発明の第３実施形態に係るカメラのユニット開口部及び本体開口部近傍を示した斜視図である。
【図７】本発明の第３実施形態に係るカメラのレンズユニットとカメラ本体を示した斜視図である。
【図８】本発明の第４実施形態に係るカメラのカメラ本体及びレンズユニットの電気的構成を示す機能ブロック図である。
【図９】本発明の第５実施形態に係るカメラのカメラ本体及びレンズユニットの電気的構成を示す機能ブロック図である。
【符号の説明】
【０１２９】
１０      カメラ（レンズ交換式カメラ）
１２      レンズユニット
１４      カメラ本体
２６      レンズ群（レンズ）
２８      ズームレンズ群（レンズ）
３０      フォーカスレンズ群（レンズ）
３２      ＣＣＤ（撮像素子）
７４      本体開口部
７８      ユニット開口部
８６      冷却ファン
８８      シャッター部材（ユニット開閉部材）
９０      シャッター部材（本体開閉部材）
１１０    レンズユニット用ＣＰＵ（制御部）
１２０    カメラ本体用ＣＰＵ（制御部）
１１８    温度センサ
１４８    冷却ファン
１５０    カメラ（レンズ交換式カメラ）
１５４    ユニット開口部
１５６    本体開口部
１６０    粘着部材
１７０    カメラ（レンズ交換式カメラ）
１７２    ユニット開口部
１７４    本体開口部
１７６    シャッター部材（第一開閉部材）
１７８    係合突起（ユニット係合部）
１８０    スプリング（第一付勢部材）
１８４    被係合部（被ユニット係合部）
１９０    シャッター部材（第二開閉部材）
１９４    係合突起（本体係合部）
１９６    スプリング
２００    被係合部（被本体係合部）
【図１】
2009025706.tif 000003
【図２】
2009025706.tif 000004
【図３】
2009025706.tif 000005
【図４】
2009025706.tif 000006
【図５】
2009025706.tif 000007
【図６】
2009025706.tif 000008
【図７】
2009025706.tif 000009
【図８】
2009025706.tif 000010
【図９】
2009025706.tif 000011